(57)【要約】【課題】低コストかつ低消費電力でＲＡＷデータを記録可能な撮像装置を提供する。【解決手段】撮像装置は、光学像を光電変換する撮像素子と、撮像素子から第１の信号および第１の信号から生成された第１の信号よりもデータ量の小さい第２の信号を出力する信号分配手段と、信号分配手段から出力された第１の信号を記録する記録手段と、信号分配手段から出力された第２の信号の画像処理を行う画像処理手段と、画像処理手段により画像処理された画像信号を表示する表示手段とを有する。【選択図】図１
2015122705.tif 000002
【特許請求の範囲】
【請求項１】
光学像を光電変換する撮像素子と、
前記撮像素子から第１の信号および該第１の信号から生成された該第１の信号よりもデータ量の小さい第２の信号を出力する信号分配手段と、
前記信号分配手段から出力された前記第１の信号を記録する記録手段と、
前記信号分配手段から出力された前記第２の信号の画像処理を行う画像処理手段と、
前記画像処理手段により画像処理された画像信号を表示する表示手段と、を有することを特徴とする撮像装置。
【請求項２】
前記第１の信号および前記第２の信号は、画像処理されていないＲＡＷデータであることを特徴とする請求項１に記載の撮像装置。
【請求項３】
前記画像処理手段は、前記第２の信号に対して、画素のオフセットばらつきの補正、画素のゲインばらつきの補正、および、欠陥画素の補正のうち少なくとも一つの画像処理を行うことを特徴とする請求項１または２に記載の撮像装置。
【請求項４】
前記撮像素子からの前記第１の信号と前記記録手段からの前記第１の信号のうちいずれか一方を選択する信号選択手段を更に有し、
前記信号選択手段は、
モードが記録モードである場合、前記撮像素子からの前記第１の信号を前記信号分配手段へ出力し、
前記モードが再生モードである場合、前記記録手段からの前記第１の信号を前記信号分配手段へ出力することを特徴とする請求項１乃至３のいずれか１項に記載の撮像装置。
【請求項５】
前記信号分配手段は、前記撮像素子からの前記第１の信号に対して画素加算処理を行うことにより、該第１の信号よりもデータ量の小さい前記第２の信号を生成することを特徴とする請求項１乃至４のいずれか１項に記載の撮像装置。
【請求項６】
前記信号分配手段は、前記撮像素子からの前記第１の信号に対して画素間引き処理を行うことにより、該第１の信号よりもデータ量の小さい前記第２の信号を生成することを特徴とする請求項１乃至４のいずれか１項に記載の撮像装置。
【請求項７】
前記撮像素子のゲインを制御するゲイン制御手段を更に有し、
前記画像処理手段は、前記第２の信号の画像処理を行い、画像処理後の信号を前記ゲイン制御手段へ出力することを特徴とする請求項１乃至６のいずれか１項に記載の撮像装置。
【請求項８】
前記撮像素子のシャッタースピードを制御するシャッター制御手段を更に有し、
前記画像処理手段は、前記第２の信号の画像処理を行い、画像処理後の信号を前記シャッター制御手段へ出力することを特徴とする請求項１乃至７のいずれか１項に記載の撮像装置。
【請求項９】
絞りを制御する絞り制御手段を更に有し、
前記画像処理手段は、前記第２の信号の画像処理を行い、画像処理後の信号を前記絞り制御手段へ出力することを特徴とする請求項１乃至８のいずれか１項に記載の撮像装置。
【請求項１０】
ＮＤフィルタを制御するＮＤ制御手段を更に有し、
前記画像処理手段は、前記第２の信号の画像処理を行い、画像処理後の信号を前記ＮＤ制御手段へ出力することを特徴とする請求項１乃至９のいずれか１項に記載の撮像装置。
【請求項１１】
フォーカスレンズを制御するフォーカス制御手段を更に有し、
前記画像処理手段は、前記第２の信号の画像処理を行い、画像処理後の信号を前記フォーカス制御手段へ出力することを特徴とする請求項１乃至１０のいずれか１項に記載の撮像装置。
【請求項１２】
前記第１の信号の画像処理を行う第２の画像処理手段を更に有し、
前記第２の画像処理手段は、前記第１の信号の画像処理後の信号を前記フォーカス制御手段へ出力することを特徴とする請求項１１に記載の撮像装置。
【請求項１３】
前記フォーカス制御手段は、前記第１の信号の画像処理後の信号、または、前記第２の信号の画像処理後の信号の少なくとも一方を用いて前記フォーカスレンズを制御することを特徴とする請求項１２に記載の撮像装置。
【請求項１４】
シフトレンズを制御するシフト制御手段を更に有し、
前記画像処理手段は、前記第２の信号の画像処理を行い、画像処理後の信号を前記シフト制御手段へ出力することを特徴とする請求項１乃至１３のいずれか１項に記載の撮像装置。
【請求項１５】
前記第１の信号の画像処理を行う第３の画像処理手段を更に有し、
前記第３の画像処理手段は、前記第１の信号の画像処理後の信号を前記シフト制御手段へ出力することを特徴とする請求項１４に記載の撮像装置。
【請求項１６】
前記シフト制御手段は、前記第１の信号の画像処理後の信号、または、前記第２の信号の画像処理後の信号の少なくとも一方を用いて前記シフトレンズを制御することを特徴とする請求項１５に記載の撮像装置。
【請求項１７】
撮影光学系を備えたレンズ装置と、
請求項１乃至１６のいずれか１項に記載の撮像装置と、を有することを特徴とする撮像システム。
【請求項１８】
光学像を光電変換する撮像素子を備えた撮像装置の制御方法であって、
前記撮像素子から第１の信号および該第１の信号から生成された該第１の信号よりもデータ量の小さい第２の信号を出力するステップと、
前記第１の信号を記録するステップと、
前記第２の信号の画像処理を行うステップと、
前記画像処理が行われた画像信号を表示するステップと、を有することを特徴とする撮像装置の制御方法。
【請求項１９】
コンピュータに、請求項１８に記載の撮像装置の制御方法を実行させるように構成されていることを特徴とするプログラム。
【請求項２０】
請求項１９に記載のプログラムを記憶していることを特徴とする記憶媒体。
【発明の詳細な説明】
【技術分野】
【０００１】
本発明は、ＲＡＷデータを記録または再生可能な撮像装置に関する。
【背景技術】
【０００２】
特許文献１には、撮影モードの変更設定可能な撮像装置において、撮影データに対する画像処理実行前のＲＡＷデータを内部メモリに記録する撮像装置が開示されている。特許文献１の構成では、設定撮影モードに対応する画像処理パラメータを適用したプレビュー画像に満足しない場合、撮影モードを変更してＲＡＷデータに対して画像処理を行うことができる。これにより、満足する画像を最終的な記録画像として記憶部に格納することが可能となる。
【先行技術文献】
【特許文献】
【０００３】
【特許文献１】特開２００７−３００２８２号公報
【発明の概要】
【発明が解決しようとする課題】
【０００４】
しかしながら、特許文献１の構成では、撮像素子に関する補正、例えば、黒のオフセットレベルの補正や欠陥画素の補正をＲＡＷデータの記録前に行う必要がある。このため、ＲＡＷデータの画素数が増加するにつれて画像処理回路は大きくなり、消費電力が増加する。
【０００５】
また、記録されたＲＡＷデータに対して画像処理を行う場合、多大の時間を要する。静止画のＲＡＷデータを画像処理する場合、画像処理を実行してから撮影データを表示するまでに時間がかかる。また動画のＲＡＷデータを画像処理する場合、１シーンの全てのＲＡＷデータの画像処理が終了してから再生を行う必要があり、再生開始までに要する時間がシーンの長さに比例して延びてしまう。また、動画のＲＡＷデータをリアルタイムに画像処理可能な回路を用いる場合、大きな規模の回路が必要となるため、回路のコストが高く、かつ、消費電力が大きい。
【０００６】
そこで本発明は、低コストかつ低消費電力でＲＡＷデータを記録可能な撮像装置、撮像システム、撮像装置の制御方法、プログラム、および、記憶媒体を提供する。
【課題を解決するための手段】
【０００７】
本発明の一側面としての撮像装置は、光学像を光電変換する撮像素子と、前記撮像素子から第１の信号および該第１の信号から生成された該第１の信号よりもデータ量の小さい第２の信号を出力する信号分配手段と、前記信号分配手段から出力された前記第１の信号を記録する記録手段と、前記信号分配手段から出力された前記第２の信号の画像処理を行う画像処理手段と、前記画像処理手段により画像処理された画像信号を表示する表示手段とを有する。
【０００８】
本発明の他の側面としての撮像システムは、撮影光学系を備えたレンズ装置と、前記撮像装置とを有する。
【０００９】
本発明の他の側面としての撮像装置の制御方法は、光学像を光電変換する撮像素子を備えた撮像装置の制御方法であって、前記撮像素子から第１の信号および該第１の信号から生成された該第１の信号よりもデータ量の小さい第２の信号を出力するステップと、前記第１の信号を記録するステップと、前記第２の信号の画像処理を行うステップと、前記画像処理が行われた画像信号を表示するステップとを有する。
【００１０】
本発明の他の側面としてのプログラムは、コンピュータに、前記撮像装置の制御方法を実行させるように構成されている。
【００１１】
本発明の他の側面としての記憶媒体は、前記プログラムを記憶している。
【００１２】
本発明の他の目的及び特徴は、以下の実施例において説明される。
【発明の効果】
【００１３】
本発明によれば、低コストかつ低消費電力でＲＡＷデータを記録可能な撮像装置、撮像システム、撮像装置の制御方法、プログラム、および、記憶媒体を提供することができる。
【図面の簡単な説明】
【００１４】
【図１】第１の実施形態における撮像装置の構成を示すブロック図である。
【図２】第１の実施形態における信号分配部の構成を示すブロック図である。
【図３】第１の実施形態における信号分配部から出力される画素データ（ＲＡＷデータ）を示す図である。
【図４】第１の実施形態における撮像装置の動作を示すフローチャートである。
【図５】第２の実施形態における撮像装置の構成を示すブロック図である。
【図６】第２の実施形態における撮像装置の動作を示すフローチャートである。
【発明を実施するための形態】
【００１５】
以下、本発明の実施例について、図面を参照しながら詳細に説明する。各図において、同一の部材については同一の参照番号を付し、重複する説明は省略する。
【００１６】
＜第１の実施形態＞
まず、図１を参照して、本発明の第１の実施形態における撮像装置の構成について説明する。図１は、本実施形態における撮像装置１００の構成を示すブロック図である。本実施形態では、画像処理を行わずにＲＡＷデータを記録する構成について説明する。
【００１７】
図１において、１０１はレンズ（撮影光学系）であり、被写体からの光を集光して撮像素子１０２へ送る。レンズ１０１は、絞り、ＮＤフィルタ、フォーカスレンズ、ズームレンズ、および、シフトレンズを備えて構成されている。なお本実施形態において、撮像装置１００は撮像素子１０２を備えた撮像装置本体とレンズ１０１とが一体的に構成されているが、これに限定されるものではない。本実施形態は、撮像装置本体と、撮像装置本体に着脱可能なレンズ１０１（レンズ装置）とを備えて構成される撮像システムにも適用可能である。
【００１８】
１０２は撮像素子であり、レンズ１０１で集光された光（被写体像または光学像）の光電変換を行うことにより電気信号へ変換する。１０３は信号分配部（信号分配手段）である。信号分配部１０３は、撮像素子１０２から第１の信号、および、第１の信号から生成された第１の信号よりもデータ量の小さい第２の信号を出力する。本実施形態において、第１の信号および第２の信号は、画像処理されていないＲＡＷデータである。すなわち信号分配部１０３は、撮像素子１０２から得られたＲＡＷデータを二つに分配する。信号分配部１０３により分配される信号の一つは、全画素のＲＡＷデータ（第１の信号）であり、記録媒体Ｉ／Ｆ部１０４へ送られる。信号分配部１０３により分配される他の一つは、データ量の小さいＲＡＷデータ（第２の信号）であり、モニタ用画像処理部１０６へ送られる。
【００１９】
１０４は記録媒体Ｉ／Ｆ部である。記録媒体Ｉ／Ｆ部１０４は、信号分配部１０３から送られたＲＡＷデータを、記録媒体１０５に記録する。１０５は記録媒体（記録手段）である。記録媒体１０５は、信号分配部１０３から出力されたＲＡＷデータ（第１の信号）を記録する。すなわち記録媒体１０５は、記録媒体Ｉ／Ｆ部１０４から送られたＲＡＷデータを記録する。また記録媒体１０５は、記録されたＲＡＷデータを記録媒体Ｉ／Ｆ部１０４に読み出す。
【００２０】
１０６はモニタ用画像処理部（画像処理手段）である。モニタ用画像処理部１０６は、信号分配部１０３から出力されたＲＡＷデータ（第２の信号）の画像処理を行う。好ましくは、モニタ用画像処理部１０６は、ＲＡＷデータ（第２の信号）に対して、画素のオフセットばらつきの補正、画素のゲインばらつきの補正、および、欠陥画素の補正のうち少なくとも一つの画像処理を行う。このようにモニタ用画像処理部１０６は、撮像素子１０２に起因するレベル差を補正する。すなわちモニタ用画像処理部１０６は、ＯＢ領域のデータを用いて有効領域の画素のレベルを補正し、または、周囲画素を用いて欠陥画素を補正する。またモニタ用画像処理部１０６は、周辺光量落ち補正、色補正、輪郭強調、ノイズ除去、ガンマ、ディベイヤー、圧縮などの画像処理を行う。１０７はモニタである。モニタ１０７（表示手段）は、モニタ用画像処理部１０６により画像処理された画像信号を画角確認用に表示する。
【００２１】
１０８はゲイン制御部（ゲイン制御手段）である。ゲイン制御部１０８は、モニタ用画像処理部１０６の出力（画像処理後の信号）に基づいて、画像の輝度レベルを算出する。そしてゲイン制御部１０８は、算出した輝度レベルに基づいて撮像素子１０２に付与すべきゲインを算出し、撮像素子１０２のゲインを制御する。１０９はシャッター制御部（シャッター制御手段）である。シャッター制御部１０９は、モニタ用画像処理部１０６の出力（画像処理後の信号）に基づいて、画像の輝度レベルを算出する。そしてシャッター制御部１０９は、算出した輝度レベルに基づいて撮像素子１０２に設定すべきシャッタースピードを算出し、撮像素子１０２のシャッタースピードを制御する。
【００２２】
１１０は絞り制御部（絞り制御手段）である。絞り制御部１１０は、モニタ用画像処理部１０６の出力（画像処理後の信号）に基づいて、画像の輝度レベルを算出する。そして絞り制御部１１０は、算出した輝度レベルに基づいてレンズ１０１で設定すべき絞り値（Ｆ値）を算出し、レンズ１０１の絞りを制御する。１１１はＮＤ制御部（ＮＤ制御手段）である。ＮＤ制御部１１１は、モニタ用画像処理部１０６の出力（画像処理後の信号）に基づいて、画像の輝度レベルを算出する。そしてＮＤ制御部１１１は、算出した輝度レベルに基づいてレンズ１０１で設定すべきＮＤフィルタの値を算出し、レンズ１０１のＮＤフィルタを制御する。
【００２３】
１１２はフォーカス制御部（フォーカス制御手段）である。フォーカス制御部１１２は、モニタ用画像処理部１０６の出力（画像処理後の信号）に基づいて、合焦情報（デフォーカス量）を算出する。フォーカス制御部１１２は、算出した合焦情報に基づいて、レンズ１０１の内部のフォーカスレンズを制御する。１１３はズーム制御部である。ズーム制御部１１３は、操作部１１５から入力された焦点距離情報に基づいて、レンズ１０１の内部のズームレンズを制御する。１１４はＩＳ制御部（シフト制御手段）である。ＩＳ制御部１１４は、モニタ用画像処理部１０６の出力（画像処理後の信号）に基づいて、被写体の動きベクトルを算出する。またＩＳ制御部１１４は、算出した動きベクトルに基づいて、レンズ１０１の内部のシフトレンズを制御する。
【００２４】
１１５は操作部である。操作部１１５は、ユーザにより設定された焦点距離情報をズーム制御部１１３へ送る。１１６はメモリＩ／Ｆ部である。メモリＩ／Ｆ部１１６は、信号分配部１０３から得られた全画素分のＲＡＷデータのメモリ１１７への書き込み、メモリ１１７に保持されたＲＡＷデータの読み出し、または、読み出されたＲＡＷデータの制御用画像処理部１１８への送信などを行う。１１７はメモリである。メモリ１１７は、数フレームの全画素分のＲＡＷデータを格納可能に構成されている。
【００２５】
１１８は制御用画像処理部（第２の画像処理手段または第３の画像処理手段）である。制御用画像処理部１１８は、第１の信号（ＲＡＷデータ）の画像処理を行う。すなわち制御用画像処理部１１８は、メモリＩ／Ｆ部１１６から送られたＲＡＷデータに対し、制御に必要な画像処理を行う。制御用画像処理部１１８にて補正されたデータ（第１の信号の画像処理後の信号）は、フォーカス制御部１１２またはＩＳ制御部１１４へ送られる。本実施形態において、フォーカス制御部１１２は、第１の信号の画像処理後の信号、または、第２の信号の画像処理後の信号の少なくとも一方を用いてフォーカスレンズを制御する。またＩＳ制御部１１４は、第１の信号の画像処理後の信号、または、第２の信号の画像処理後の信号の少なくとも一方を用いてシフトレンズを制御する。
【００２６】
１１９は外部出力用画像処理部である。外部出力用画像処理部１１９は、記録媒体１０５に記録されたＲＡＷデータを、記録媒体Ｉ／Ｆ部１０４を介して読み出し、外部出力用の画像処理を行う。例えば、外部出力用画像処理部１１９は、ＯＢ領域のデータを用いて、有効領域の画素のレベルを補正し、または、周囲画素を用いて欠陥画素を補正する。また外部出力用画像処理部１１９は、周辺光量落ち補正、色補正、輪郭強調、ノイズ除去、ガンマ、ディベイヤー、圧縮などの画像処理を行う。１２０は外部出力Ｉ／Ｆ部である。外部出力Ｉ／Ｆ部１２０は、外部出力用画像処理部１１９からの画像データを外部に出力する。例えば、外部出力Ｉ／Ｆ部１２０は、画像データを外部のモニタや外部の記録媒体などの外部装置へ出力する。１２１はＣＰＵ（制御手段）である。ＣＰＵ１２１は、撮像装置１００の全体を制御する。
【００２７】
続いて、図２を参照して、本実施形態における信号分配部１０３の構成について説明する。図２は、信号分配部１０３の構成を示すブロック図である。図２において、２０１は画素信号保持部である。画素信号保持部２０１は、撮像素子１０２からのＲＡＷデータに対し、その数画素分のデータを一時的に保持する。画素信号保持部２０１に保持されたデータは、記録媒体Ｉ／Ｆ部１０４、メモリＩ／Ｆ部１１６、および、水平画素加算部２０２へ送られる。
【００２８】
２０２は水平画素加算部である。水平画素加算部２０２は、画素信号保持部２０１から順次送られるＲＡＷデータ（画素データ）のうち、４画素分のデータを加算して１画素分のデータを生成する。これにより、ＲＡＷデータの水平画素数は１／４に減少する。２０３は垂直画素加算部である。垂直画素加算部２０３は、水平画素加算部２０２からのＲＡＷデータのうち、４行分のデータを内部のメモリに保持した後、連続する同じ列の４画素を加算してモニタ用画像処理部１０６に出力する。これにより、ＲＡＷデータの垂直画素数は１／４に減少する。このように信号分配部１０３は、撮像素子１０２からの第１の信号（ＲＡＷデータ）に対して画素加算処理を行うことにより、第１の信号よりもデータ量の小さい第２の信号（ＲＡＷデータ）を生成する。
【００２９】
続いて、図３を参照して、信号分配部１０３から出力される画素データ（ＲＡＷデータ）について説明する。図３は、信号分配部１０３から出力される画素データを示す図である。図３では、ベイヤー配列のＲＡＷデータが示されている。また図３においては、説明の簡略化のため、全画素のＲＡＷデータではなく、一部の画素のＲＡＷデータについてのみ示している。
【００３０】
図３（ａ）は、信号分配部１０３から記録媒体Ｉ／Ｆ部１０４へ出力されるＲＡＷデータの一部を示す図である。信号分配部１０３から記録媒体Ｉ／Ｆ部１０４へ、撮像素子１０２から出力された全画素のＲＡＷデータが出力される。図３（ｂ）は、信号分配部１０３からモニタ用画像処理部１０６に出力されるＲＡＷデータの一部を示す図である。信号分配部１０３からモニタ用画像処理部１０６へ、ＲＡＷデータの全画素に対して水平画素数１／４、垂直画素数１／４となったＲＡＷデータが出力される。本実施形態において、図３（ａ）の画素Ｒ、Ｇｒ、Ｇｂ、Ｂと、図３（ｂ）のＲ’、Ｇｒ’、Ｇｂ’、Ｂ’の関係は、以下の式（１）〜（４）により表される。
【００３１】
【数１】
2015122705.tif 000003
【００３２】
【数２】
2015122705.tif 000004
【００３３】
【数３】
2015122705.tif 000005
【００３４】
【数４】
2015122705.tif 000006
【００３５】
式（１）〜（４）において、（ｘ、ｙ）は、ＲＡＷデータをベイヤー配列で表した場合に、画像の左上の座標を（０，０）と設定したときの座標を示している。本実施形態において、信号分配部１０３からモニタ用画像処理部１０６へ送られるＲＡＷデータの画素数は、信号分配部１０３から記録媒体Ｉ／Ｆ部１０４へ送られるＲＡＷデータの画素数に対して１／１６に減少している。
【００３６】
続いて、図４を参照して、本実施形態における撮像装置１００の動作（撮像装置の制御方法）について説明する。図４は、撮像装置１００の動作を示すフローチャートである。図４の各ステップは、主に、ＣＰＵ１２１（制御手段）の指令に基づいて実行される。
【００３７】
まずステップＳ１００において、ＣＰＵ１２１は、撮像装置１００のモードが記録モードに設定されているか否かを判定する。モードが記録モードに設定されている場合、ステップＳ１０１に進む。一方、モードが記録モードに設定されていない場合（他のモードに設定されている場合）、ステップＳ１０４に進む。
【００３８】
ステップＳ１０１において、ＣＰＵ１２１は、撮像素子１０２からの画像信号（画素信号）を、信号分配部１０３およびモニタ用画像処理部１０６を介して、モニタ１０７に表示する。そしてステップＳ１０２において、ＣＰＵ１２１は画像の記録中であるか否かを判定する。画像の記録中である場合、ステップＳ１０３に進む。一方、画像の記録中ではない場合、本フローを終了する。ステップＳ１０３において、ＣＰＵ１２１は、撮像素子１０２からの画像信号を、信号分配部１０３および記録媒体Ｉ／Ｆ部１０４を介して、記録媒体１０５に記録する。
【００３９】
ステップＳ１００にてモードが記録モードに設定されていない場合、ステップＳ１０４において、ＣＰＵ１２１は、モードが外部出力モードに設定されているか否かを判定する。モードが外部出力モードに設定されている場合、ステップＳ１０５に進む。一方、モードが外部出力モードに設定されていない場合、本フローを終了する。ステップＳ１０５において、ＣＰＵ１２１は、記録媒体１０５からの画像信号を、記録媒体Ｉ／Ｆ部１０４、外部出力用画像処理部１１９、および、外部出力Ｉ／Ｆ部１２０を介して、外部に出力する。
【００４０】
本実施形態の撮像装置によれば、画像処理を行うことなくＲＡＷデータを記録することにより、不要な回路を削減して消費電力を低減することが可能となる。
【００４１】
＜第２の実施形態＞
次に、図５を参照して、本発明の第２の実施形態における撮像装置の構成について説明する。図５は、本実施形態における撮像装置１００ａの構成を示すブロック図である。本実施形態では、記録されたＲＡＷデータを撮像装置１００ａ（撮像装置本体）で再生する構成について説明する。本実施形態の撮像装置１００ａは、信号選択部５０１（信号選択手段）を有する点で、実施形態１の撮像装置１００ａと異なる。信号選択部５０１は、撮像素子１０２からの信号、または、記録媒体１０５から記録媒体Ｉ／Ｆ部１０４を介して読み出された信号のいずれか一方を選択し、信号分配部１０３へ出力する。撮像装置１００ａのその他の構成は実施例１の撮像装置１００と同様であるため、それらの説明は省略する。
【００４２】
続いて、図６を参照して、本実施形態における撮像装置１００ａの動作（撮像装置の制御方法）について説明する。図６は、撮像装置１００ａの動作を示すフローチャートである。図６の各ステップは、主に、ＣＰＵ１２１（制御手段）の指令に基づいて実行される。
【００４３】
まずステップＳ２００において、ＣＰＵ１２１は、撮像装置１００ａのモードが記録モードに設定されているか否かを判定する。モードが記録モードに設定されている場合、ステップＳ２０１に進む。一方、モードが記録モードに設定されていない場合（他のモードに設定されている場合）、ステップＳ２０４に進む。
【００４４】
ステップＳ２０１において、ＣＰＵ１２１は、撮像素子１０２からの画像信号（画素信号）を、信号選択部５０１、信号分配部１０３およびモニタ用画像処理部１０６を介して、モニタ１０７に表示する。そしてステップＳ２０２において、ＣＰＵ１２１は画像の記録中であるか否かを判定する。画像の記録中である場合、ステップＳ２０３に進む。一方、画像の記録中ではない場合、本フローを終了する。ステップＳ２０３において、ＣＰＵ１２１は、撮像素子１０２からの画像信号を、信号選択部５０１、信号分配部１０３および記録媒体Ｉ／Ｆ部１０４を介して、記録媒体１０５に記録する。
【００４５】
ステップＳ２００にてモードが記録モードに設定されていない場合、ステップＳ２０４において、ＣＰＵ１２１は、モードが外部出力モードに設定されているか否かを判定する。モードが外部出力モードに設定されている場合、ステップＳ２０５に進む。一方、モードが外部出力モードに設定されていない場合、ステップＳ２０６に進む。
【００４６】
ステップＳ２０５において、ＣＰＵ１２１は、記録媒体１０５からの画像信号を、記録媒体Ｉ／Ｆ部１０４、外部出力用画像処理部１１９、および、外部出力Ｉ／Ｆ部１２０を介して、外部に出力する。
【００４７】
ステップＳ２０６において、ＣＰＵ１２１は、モードが再生モードであるか否かを判定する。モードが再生モードに設定されている場合、ステップＳ２０７に進む。そしてステップＳ２０７において、ＣＰＵ１２１は、記録媒体１０５からの画像信号を、信号選択部５０１、信号分配部１０３およびモニタ用画像処理部１０６を介して、モニタ１０７に表示する。一方、モードが再生モードに設定されていない場合、本フローを終了する。
【００４８】
このように撮像装置１００ａは、撮像素子１０２からの第１の信号と記録媒体１０５からの第１の信号のうちいずれか一方を選択する信号選択部５０１を有する。そして信号選択部５０１は、モードが記録モードである場合、撮像素子１０２からの第１の信号を信号分配部１０３へ出力する。一方、モードが再生モードである場合、記録媒体１０５からの第１の信号を信号分配部１０３へ出力する。
【００４９】
本実施形態の撮像装置によれば、画像処理を行うことなく、ＲＡＷ画像を記録することにより、不要な回路を削減し、消費電力を低減することが可能となる。また、記録されたＲＡＷデータを再生する際には、モニタ用の回路を用いることにより、消費電力を低減した状態で、撮像装置本体での再生が可能となる。また、ＲＡＷデータを再生する際にモニタ用の回路を用いるため、記録されたＲＡＷデータから、撮影時の制御データ（例えば、ゲインやシャッターの値）を再度生成することができる。これにより、撮影中に制御データを記録する必要はなく、制御データを記録するために必要な電力を削減することができる。
【００５０】
なお各実施形態において、信号分配部１０３は、画素加算処理を行うことによりＲＡＷデータのデータ量を低減（削減）しているが、これに限定されるものではなく、他の処理によりＲＡＷデータのデータ量を削減してもよい。例えば信号分配部１０３は、撮像素子１０２からの第１の信号（ＲＡＷデータ）に対して画素間引き処理を行うことにより、第１の信号よりもデータ量の小さい第２の信号（ＲＡＷデータ）を生成するように構成することもできる。また各実施形態において、信号分配部１０３におけるデータ量の削減比率を１／１６と設定しているが、これに限定されるものではない。削減比率は、１／４や１／６４などの他の比率であってもよい。
【００５１】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００５３】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【００５４】
各実施形態の撮像装置によれば、画像処理を行うことなくＲＡＷデータを記録することにより、不要な回路を削減し、消費電力を低減することが可能となる。また、記録されたＲＡＷデータを再生する際には、モニタ用の回路を用いることにより、消費電力を低減した状態で、撮像装置本体での再生が可能となる。このため各実施形態によれば、低コストかつ低消費電力でＲＡＷデータを記録可能な撮像装置、撮像システム、撮像装置の制御方法、プログラム、および、記憶媒体を提供することができる。
【００５５】
以上、本発明の好ましい実施形態について説明したが、本発明はこれらの実施形態に限定されず、その要旨の範囲内で種々の変形及び変更が可能である。上述の実施形態の一部を適宜組み合わせてもよい。
【符号の説明】
【００５６】
１００  撮像装置
１０２  撮像素子
１０３  信号分配部
１０５  記録媒体
１０６  モニタ用画像処理部
１０７  モニタ
【図１】
2015122705.tif 000007
【図２】
2015122705.tif 000008
【図５】
2015122705.tif 000009
【図３】
2015122705.tif 000010
【図４】
2015122705.tif 000011
【図６】
2015122705.tif 000012